【手続補正書】
【提出日】平成25年1月18日(2013.1.18)
【手続補正１】
【補正対象書類名】特許請求の範囲
【補正対象項目名】全文
【補正方法】変更
【補正の内容】
【特許請求の範囲】
【請求項１】
圧油を供給する油圧ポンプと、
工作物を位置決めする治具プレートと、
前記治具プレートを着脱可能に保持し、加工時において工具に対して相対移動する治具ベースと、
前記治具ベースに対する前記治具プレートの着脱動作を行う油圧シリンダと、
前記油圧ポンプの圧油を蓄圧し前記油圧シリンダに圧油を供給するアキュムレータと、
外力によって切り換えられることにより、前記アキュムレータの圧油を前記油圧シリンダに供給し前記油圧シリンダによる前記着脱動作を制御する手動バルブと、
を備え、
前記アキュムレータおよび前記手動バルブは、前記治具ベースにそれぞれ配置され、前記治具ベースの内部に形成された内部流路により連通していることを特徴とする工作機械。
【請求項２】
請求項１において、
前記油圧シリンダの前記着脱動作は、前記油圧シリンダに圧油が供給された場合に前記治具ベースに対して前記治具プレートが取り外されるアンクランプ状態とし、前記油圧シリンダから圧油が排出された場合に前記治具ベースに対して前記治具プレートが取付けられるクランプ状態となるように動作することを特徴とする工作機械。
【請求項３】
請求項１において、
前記油圧シリンダの前記着脱動作は、前記油圧シリンダに圧油が供給された場合に前記治具ベースに対して前記治具プレートが取付けられるクランプ状態とし、前記油圧シリンダから圧油が排出された場合に前記治具ベースに対して前記治具プレートが取り外されるアンクランプ状態となるように動作することを特徴とする工作機械。
【請求項４】
請求項１〜３の何れか一項において、
前記アキュムレータの蓄圧状態を検知する検知手段と、
前記検知手段により検知された前記蓄圧状態に基づいて前記油圧ポンプの稼働状態を制御するポンプ制御手段と、
をさらに備えることを特徴とする工作機械。
【手続補正２】
【補正対象書類名】明細書
【補正対象項目名】０００７
【補正方法】変更
【補正の内容】
【０００７】
上記の課題を解決するため、請求項１に係る発明の特徴は、
圧油を供給する油圧ポンプと、
工作物を位置決めする治具プレートと、
前記治具プレートを着脱可能に保持し、加工時において工具に対して相対移動する治具ベースと、
前記治具ベースに対する前記治具プレートの着脱動作を行う油圧シリンダと、
前記油圧ポンプの圧油を蓄圧し前記油圧シリンダに圧油を供給するアキュムレータと、
外力によって切り換えられることにより、前記アキュムレータの圧油を前記油圧シリンダに供給し前記油圧シリンダによる前記着脱動作を制御する手動バルブと、
を備え、
前記アキュムレータおよび前記手動バルブは、前記治具ベースにそれぞれ配置され、前記治具ベースの内部に形成された内部流路により連通していることである。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
請求項２に係る発明の特徴は、請求項１において、前記油圧シリンダの前記着脱動作は、前記油圧シリンダに圧油が供給された場合に前記治具ベースに対して前記治具プレートが取り外されるアンクランプ状態とし、前記油圧シリンダから圧油が排出された場合に前記治具ベースに対して前記治具プレートが取付けられるクランプ状態となるように動作することである。
【手続補正５】
【補正対象書類名】明細書
【補正対象項目名】００１０
【補正方法】変更
【補正の内容】
【００１０】
請求項３に係る発明の特徴は、請求項１において、前記油圧シリンダの前記着脱動作は、前記油圧シリンダに圧油が供給された場合に前記治具ベースに対して前記治具プレートが取付けられるクランプ状態とし、前記油圧シリンダから圧油が排出された場合に前記治具ベースに対して前記治具プレートが取り外されるアンクランプ状態となるように動作することである。
【手続補正６】
【補正対象書類名】明細書
【補正対象項目名】００１１
【補正方法】変更
【補正の内容】
【００１１】
請求項４に係る発明の特徴は、請求項１〜３の何れか一項において、前記アキュムレータの蓄圧状態を検知する検知手段と、前記検知手段により検知された前記蓄圧状態に基づいて前記油圧ポンプの稼働状態を制御するポンプ制御手段と、をさらに備えることである。
【手続補正７】
【補正対象書類名】明細書
【補正対象項目名】００１５
【補正方法】変更
【補正の内容】
【００１５】
さらに、アキュムレータおよび手動バルブは、治具ベースにそれぞれ配置される構成となっている。そして、両部材は、治具ベースに形成された内部流路により連通している。この内部流路は、アキュムレータから手動バルブを介し、さらに油圧シリンダまで連通させるものとしてもよい。ここで、例えば、治具ベースの外部に設けられる外部配管では、配管内の圧力が高圧になり配管が膨張変形することがある。この場合、配管内の容積が大きくなることから配管内の圧力が低下し、バルブより先に供給される圧油の圧力が低下することになる。これに対して、治具ベースの内部流路は、治具ベースに直接形成されるため、圧油の供給時において流路内の圧力が高圧になっても流路の断面形状がほとんど変化しない。これにより、治具ベースの外部に設けられる外部配管と比較して、バルブより先に供給される圧油の圧力が低下することを防止できる。
【手続補正８】
【補正対象書類名】明細書
【補正対象項目名】００１６
【補正方法】変更
【補正の内容】
【００１６】
請求項２に係る発明によると、油圧シリンダによる着脱動作は、油圧シリンダに圧油が供給された場合にアンクランプ状態とし、圧油が排出された場合にクランプ状態となるように動作する構成となっている。つまり、治具装置の段取り換えにおいて、油圧シリンダには、治具プレートを取り外す際に圧油が供給される。これにより、アキュムレータに蓄圧された圧油を有効に利用することができる。また、加工時におけるクランプ状態では、例えば、内蔵するバネなどを利用して確実に治具プレートを固定することができる。
【手続補正９】
【補正対象書類名】明細書
【補正対象項目名】００１７
【補正方法】変更
【補正の内容】
【００１７】
請求項３に係る発明によると、油圧シリンダによる着脱動作は、油圧シリンダに圧油が供給された場合にクランプ状態とし、圧油が排出された場合にアンクランプ状態となるように動作する構成となっている。つまり、治具装置の段取り換えにおいて、油圧シリンダには、治具プレートを取付ける際に圧油が供給される。これにより、加工時においては、少なくとも必要最小限のクランプ力により治具ベースに対して治具プレートをクランプさせることができる。よって、治具装置の種々の態様に適用し、治具プレートの着脱動作を行うことができる。
【手続補正１０】
【補正対象書類名】明細書
【補正対象項目名】００１８
【補正方法】変更
【補正の内容】
【００１８】
請求項４に係る発明によると、工作機械は、ポンプ制御手段がアキュムレータの蓄圧状態に基づいて油圧ポンプの稼働状態を制御する構成となっている。治具装置の油圧シリンダは、アキュムレータにより圧油を供給されるため設備停止状態においても着脱動作を行うことができる。また、油圧シリンダによる着脱動作によってアキュムレータの圧力が低下した場合に、検知手段が蓄圧状態を検知し、設備稼働時にポンプ制御手段によりアキュムレータに所定圧力まで蓄圧するように油圧ポンプの稼働状態を制御することができる。これにより、次回以降の段取り換えにおいて、油圧シリンダによる着脱動作に備えることができる。